(57)【要約】      （修正有）【課題】ショーケース用カーテンを安定して低速で巻き上げるショーケース用カバー装置を提供する。【解決手段】軸線Ｘ方向における両端がブラケット４８で支持された円筒部材３０と、当該円筒部材３０が外挿された支持軸部３６と、円筒部材３０と支持軸部３６とを接続するコイルスプリングＳｐと、円筒部材３０に巻回されたカーテン３と、を有し、円筒部材３０に巻回されたカーテン３を引き出す際にコイルスプリングＳｐに付勢力が蓄積され、この付勢力によりカーテン３を巻き上げる方向に円筒部材３０が回転するようにしたショーケース用カバー装置１であって、円筒部材３０は、軸線Ｘ方向における一端側で支持軸部３６を介してブラケット４８に相対回転可能に支持されており、他端側で一方向性のロータリーダンパー６を介してブラケット４８に相対回転可能に支持されている構成とした。【選択図】図４
0003215137.tif 000002
【実用新案登録請求の範囲】
【請求項１】
中心軸方向における両端がブラケットで支持された筒状の回転シャフトと、当該回転シャフトが外挿された固定軸と、前記回転シャフトと前記固定軸とを接続する巻取ばねと、前記回転シャフトに巻回されたカバー部材と、を有し、
前記回転シャフトに巻回された前記カバー部材を引き出す際に前記巻取ばねに付勢力が蓄積され、この付勢力により前記カバー部材を巻き上げる方向に前記回転シャフトが回転するようにしたショーケース用カバー装置であって、
前記回転シャフトは、
前記中心軸方向における一端が、前記固定軸を介して前記ブラケットに相対回転可能に支持されており、
前記中心軸方向における他端が、ダンパーを介して前記ブラケットに相対回転可能に支持されており、
前記ダンパーは、前記回転シャフトの前記カバー部材を巻き上げる方向への回転に負荷を作用させる回転ダンパーであることを特徴とするショーケース用カバー装置。
【請求項２】
前記回転ダンパーは、
筒状の周壁部の内側に底壁部が設けられた有底のカバー部と、
前記中心軸方向から周壁部内に挿入されると共に、先端部が、前記底壁部で回転可能に支持された軸部と、
前記軸部において、前記先端部から基端部側にオフセットした位置に、前記周壁部の内径と整合する外径で形成されたフランジ部と、を有しており、
前記回転ダンパーでは、前記フランジ部と前記底壁部との間の空間に流体が封入されており、
前記軸部には、前記フランジ部よりも前記先端部側に、前記中心軸の径方向に延びる仕切壁部が設けられており、
前記回転ダンパーは、前記軸部の前記基端部が前記ブラケットに連結されていると共に、前記カバー部が前記回転シャフトに連結されており、
前記仕切壁部により、前記回転シャフトが前記カバー部材を巻き上げる方向に回転する際の負荷を生じさせることを特徴とする請求項１に記載のショーケース用カバー装置。
【請求項３】
前記回転ダンパー内の流体は、シリコンオイルであることを特徴とする請求項２に記載のショーケース用カバー装置。
【請求項４】
前記カバー部材は、樹脂製のフイルム材、または織物であることを特徴とする請求項１から請求項３の何れか一項に記載のショーケース用カバー装置。
【考案の詳細な説明】
【技術分野】
【０００１】
本発明は、ショーケース用カバー装置に関するものである。
【背景技術】
【０００２】
商品を冷蔵または冷凍状態で陳列するショーケースには、商品を取り出す為の開口が設けられている。特許文献１には、開口から冷気が漏出するのを抑えるために、開口を覆う可動式のカーテンが開示されている。
【先行技術文献】
【特許文献】
【０００３】
【特許文献１】実願２００３−２７３０５８号公報
【０００４】
この種の可動式カーテンは、帯状のシート材を筒状の回転シャフトに巻き回して構成される。回転シャフトには巻取りばねが設けられており、シート材を引き出す際に巻取りばねに巻取り力が蓄積される。この巻取り力により、シート材が自動的に巻き上がる。
【０００５】
例えばスーパーマーケットの閉店後には、作業者がシート材を引き出してショーケースの開口を覆う。この場合、シート材は巻き上がらないようにショーケースの下部で係止される。またスーパーマーケットの開店前には、作業者がシート材とショーケースとの係止を解除する。この場合、シート材は巻取りばねに蓄積された巻取り力によって、自動的に巻き上がる。
【０００６】
ここで、シート材は高速で巻き上がる。この場合、シート材の下端に設けられた縁部材などがショーケースの蛍光灯などに衝突して蛍光灯を破損させる恐れがある。
そのため、特許文献１のカバー装置では、回転シャフトに減速部材を設けることでシート材が巻き上がる速度を減速している。
【考案の概要】
【考案が解決しようとする課題】
【０００７】
しかし、特許文献１のカバー装置では、減速部材を回転シャフトの内面で摺動させて、この際に発生する摩擦抵抗を利用して回転シャフトの回転を減速している。この場合、摩耗が進むと回転シャフトの回転が十分に減速されなくなる恐れがある。
【０００８】
そこで、シート材を安定して低速で巻き上げることが出来るショーケース用カバー装置とすることが求められている。
【課題を解決するための手段】
【０００９】
本考案は、
中心軸方向における両端がブラケットで支持された筒状の回転シャフトと、当該回転シャフトが外挿された固定軸と、前記回転シャフトと前記固定軸とを接続する巻取ばねと、前記回転シャフトに巻回されたカバー部材と、を有し、
前記回転シャフトに巻回された前記カバー部材を引き出す際に前記巻取ばねに付勢力が蓄積され、この付勢力により前記カバー部材を巻き上げる方向に前記回転シャフトが回転するようにしたショーケース用カバー装置であって、
前記回転シャフトは、
前記中心軸方向における一端が、前記固定軸を介して前記ブラケットに相対回転可能に支持されており、
前記中心軸方向における他端が、ダンパーを介して前記ブラケットに相対回転可能に支持されており、
前記ダンパーは、前記回転シャフトの前記カバー部材を巻き上げる方向への回転に負荷を作用させる回転ダンパーである構成とした。
【考案の効果】
【００１０】
本考案によれば、流体の粘性抵抗によって回転シャフトの回転が減衰されるので、シート材を安定して低速で巻き上げることが出来る。
【図面の簡単な説明】
【００１１】
【図１】実施の形態にかかるショーケース用カバー装置の使用状態を説明する斜視図である。
【図２】実施の形態にかかるショーケース用カバー装置を説明する図である。
【図３】実施の形態にかかるショーケース用カバー装置の断面図である。
【図４】実施の形態にかかるショーケース用カバー装置の断面図である。
【図５】実施の形態にかかるショーケース用カバー装置の断面図である。
【考案を実施するための形態】
【００１２】
以下、本発明の実施の形態を説明する。
図１は、実施の形態にかかるショーケース用カバー装置１の使用状態を説明する図であり、ショーケース２の開口部２０が、下方に引き出したカーテン３により覆われた状態を示した図である。
なお、以下の説明においては、便宜上、図１を基準として上側を上方、下側を下方として説明する。
【００１３】
図１に示すように、ショーケース２の前面には、ショーケース２内に陳列される商品の出し入れを可能とする開口部２０が設けられている。ショーケース２は、冷気を発生させる冷蔵・冷凍装置（図示せず）を備えている。
開口部２０の上部に設けた吹出口（図示せず）から吹き出された冷気は、開口部２０の下部に設けた吸引口（図示せず）に向けて移動する。これにより、開口部２０を覆うエアカーテンが形成される。
【００１４】
ショーケース２の天板部２１は、開口部２０の上縁に沿って当該ショーケース２の幅方向（図中、左右方向）に延びている。天板部２１には開口部２０との境界に、ショーケース用カバー装置１が取り付けられている。
【００１５】
ショーケース用カバー装置１は、開口部２０の幅方向の全長に亘って設けられている。ショーケース用カバー装置１が備えるカーテン３を下方に引き出すと、開口部２０の略全面が、カーテン３により覆われる。
【００１６】
開口部２０の下縁には、フロントパネル２２が設けられている。開口部２０の幅方向におけるフロントパネル２２の中央にはフック部２９が設けられている。このフック部２９は、フロントパネル２２から離れる方向に突出している。
詳細は後記するが、このフック部２９にはカーテン３の長手方向における先端部３ａに設けた係止具３９が係止される。カーテン３を下方に引き出したのち、係止具３９をフック部２９に係止させることで、カーテン３が引き出された状態で保持することができる。
【００１７】
図２は、ショーケース用カバー装置１を説明する図である。（ａ）は、ショーケース用カバー装置１の正面図であり、カーテン３を引き出した状態を示した図である。（ｂ）は、（ａ）のＢ−Ｂ矢視図である。なお、（ｂ）では、ショーケース２の天板部２１を仮想先で記載してある。
図３は、図２におけるＡ−Ａ断面図である。
【００１８】
図２に示すように、ショーケース用カバー装置１は、カーテン３と、カーテン３を収容する収容部４と、を有する。
【００１９】
［カーテン］
カーテン３は、可撓性と弾性と耐湿性とを備える樹脂素材で作成されている。
具体的には、カーテン３は、ポリエチレンテレフタレートからなる樹脂シート（フイルム材）、または樹脂繊維からなる織物（布）である。
カーテン３は、樹脂シートや織物を帯状に形成したカバー部材である。
【００２０】
カーテン３は、長手方向における先端部３ａに、幅方向の全長に亘って硬質のライナ３２が設けられている。カーテン３は、長手方向における先端部３ａとは反対側の基端部３ｂが円筒状の円筒部材３０に固定されている（図３参照）。
カーテン３には、当該カーテン３を厚み方向に貫通する複数の通孔３ｅが設けられている（図１、２参照）。これら通孔３ｅを介した通気によってカーテン３の表面に結露が生じること防止できる。なお、カーテン３が、樹脂繊維から成る織物である場合には、通孔３ｅを省略しても良い。
【００２１】
カーテン３は、樹脂シートを基端部３ｂ側から円筒部材３０に巻き回した基本形状を有している。この基本形状のカーテン３では、円筒部材３０の外周に巻き回されたカーテン３により、巻き回し部３ｄ（図３参照）が形成されている。
【００２２】
カーテン３の長手方向の先端部３ａを、円筒部材３０から離れる方向（図３における下方向）に引っ張ると、円筒部材３０に巻き付けられた巻き回し部３ｄから、カーテン３が順次引き出される。
【００２３】
図２の（ａ）に示すように、カーテン３の幅Ｗ１は、開口部２０の幅Ｗ２（図１参照）とほぼ同じ幅に設定されている（Ｗ１＝Ｗ２）。カーテン３を引き出したときの最大長さＬ１は、開口部２０の高さ方向の開口長Ｌ２（図１における上下方向の長さ）よりも長い長さに設定されている（Ｌ１＞Ｌ２）。そのため、カーテン３をショーケース用カバー装置１から引き出した際に、ショーケース２の開口部２０が、略全面に亘ってカーテン３により覆われる。
【００２４】
カーテン３を構成する樹脂シートの先端部３ａには、その幅方向の中央部に係止具３９が取り付けられている。
この係止具３９は、カーテン３を引き出した際に、ショーケース２の開口部２０の下側に設けられたフック部２９に係合することで、カーテン３が、巻き回し部３ｄから引き出された状態で保持される（図１参照）。
【００２５】
図３に示すように、カーテン３の基端部３ｂは、当該カーテン３の長手方向に直交する方向の全長に亘って、円筒部材３０に取り付けられている。
例えばスーパーマーケットの営業時間内では、カーテン３は長手方向の全長（先端部３ａから基端部３ｂまで）に亘って円筒部材３０の外周に巻き付けられた状態で、収容部４内に収容される。
【００２６】
［収容部］
図２に示すように、収容部４は、ショーケース２の天板部２１に設けられている。この収容部４は、正面視において矩形形状の壁部４５を有している。収容部４は、壁部４５の長手方向をショーケース２の幅方向に沿わせた状態でショーケース２の天板部２１の取付面２１ａに取り付けられている。
【００２７】
具体的には、図３に示すように、壁部４５には、当該壁部４５を厚み方向に貫通して、ボルトＢの挿通孔４５ｂが形成されている。挿通孔４５ｂは、壁部４５の長手方向に間隔を開けて複数設けられている。壁部４５は、挿通孔４５ｂを挿通させたボルトＢにより、天板部２１の取付面２１ａに取り付けられている。
【００２８】
図２の（ａ）に示すように、壁部４５の長手方向における両端には、板状のブラケット４８、４８が設けられている。ブラケット４８、４８は、天板部２１の取付面２１ａから離れる方向（図２の（ｂ）における左方向）に延出しており、ブラケット４８、４８は壁部４５に対して直交している。
【００２９】
図２の（ｂ）に示すように、壁部４５の長手方向に直交する方向における一側（図中、上側）には上壁部４６が設けられている。上壁部４６は、壁部４５に対して直交している。
上壁部４６は、天板部２１の取付面２１ａから離れる方向に延出している。
上壁部４６は、円筒部材３０に巻き付けられたカーテン３の巻き回し部３ｄの上方に及ぶ長さＬａで形成されている。
【００３０】
壁部４５の長手方向に直交する方向における他側（図中、下側）には突出部４７が設けられている。この突出部４７は、壁部４５に対して直交している。
突出部４７は、天板部２１の取付面２１ａから離れる方向に延出している。
突出部４７は、後記するブラケット４８の下端部４８１を支持可能な長さＬｂで形成されている。
【００３１】
これら壁部４５と上壁部４６と突出部４７は、一体に形成されている。
ブラケット４８は、その上端部４８２と下端部４８１とが、上壁部４６と突出部４７との間に挟まれた状態で、壁部４５に取り付けられている。
【００３２】
図２の（ｂ）に示すように、ブラケット４８は、高さ方向における中央部４８３が、上端部４８２および下端部４８１よりも壁部４５から離れる方向に突出している。
ブラケット４８、４８では、中央部４８３、４８３における互いの対向面に、円筒部材３０の支持部となるボス部４８４、４８４が設けられている（図４参照）。
【００３３】
図４は、実施の形態にかかるショーケース用カバー装置１の断面図である。（ａ）は、図３のＡ−Ａ断面図である。（ｂ）は、（ａ）のＡ−Ａ断面図である。（ｃ）は、（ａ）のＢ−Ｂ断面図である。
図５は、実施の形態にかかるショーケース用カバー装置１の断面図である。（ａ）は、図４の（ａ）の要部拡大図である。（ｂ）は、（ａ）のＡ−Ａ断面図である。
【００３４】
図４の（ａ）に示すように、円筒部材３０は、長手方向における一端部３０ａに設けた軸受部３１を介して、一方のボス部４８４で回転可能に支持されている。
円筒部材３０は、長手方向における他端部３０ｂに設けた後記するロータリーダンパー６を介して、他方のボス部４８４で回転可能に支持されている。
【００３５】
円筒部材３０の軸受部３１側の内部には、下方に引き出されたカーテン３を、円筒部材３０に巻き取るための巻き取り機構５が設けられている。
【００３６】
［巻き取り機構５］
以下、図４を参照しながら、巻き取り機構５を説明する。
巻き取り機構５は、円筒部材３０の一端部３０ａに取り付けられる軸受部３１と、軸受部３１を回転可能に支持する支持軸部３６と、軸受部３１と支持軸部３６とに跨がって設けられたコイルスプリングＳｐと、を備える。
【００３７】
軸受部３１は、円筒部材３０が外挿される円筒状の基部３１０を有している。基部３１０の外周には、当該基部３１０よりも大径の大径部３１１が設けられている。
基部３１０において大径部３１１は、周方向の全周に亘って、円筒部材３０の外径と同一の外径で形成されている。
【００３８】
そのため、円筒部材３０は、一端部３０ａが大径部３１１に当接する位置まで基部３１０に外挿される。これにより円筒部材３０の軸受部３１に対する位置決めが、大径部３１１により行われる。
【００３９】
また、基部３１０に外挿された円筒部材３０の一端部３０ａは、基部３１０にかしめられている。これにより、基部３１０と円筒部材３０とが、相対回転不能に連結されている。
基部３１０の外周には、長手方向におけるコイルスプリングＳｐの一端側に設けた係合部Ｓｐａを係止させる係止溝３１１ａが設けられている。この係合部Ｓｐａの外周が、円筒部材３０により覆われることで、係合部Ｓｐａの基部３１０からの脱落が阻止されている。
【００４０】
基部３１０の中心には、基部３１０を長手方向（以下、軸線Ｘ方向と標記する）に貫通して貫通孔３１ａが形成されている。この貫通孔３１ａを、支持軸部３６の連結部３３１が軸線Ｘ方向に貫通している。
この状態において軸受部３１は、貫通孔３１ａを貫通させた連結部３３１で、回転可能に支持されている。
【００４１】
図４の（ｂ）に示すように、軸線Ｘ方向から見て、連結部３３１の先端部３３１ｂは、略矩形形状をなしている。連結部３３１の先端部３３１ｂは、ブラケット４８に形成された矩形形状の嵌合孔４８ａと嵌合している。これにより、連結部３３１は軸線Ｘ回りの回り止めがなされた状態で、ブラケット４８で支持される。
連結部３３１の先端部３３１ｂ内には、ビス孔３３１ａが形成されている。ビス孔３３１ａは、連結部３３１内を軸線Ｘに沿って設けられており、ブラケット４８側に開口している。
このビス孔３３１ａには、ブラケット４８を貫通させたビス４９が螺入されている。これにより、連結部３３１が嵌合孔４８ａから脱落することが阻止される。
【００４２】
図４の（ａ）に示すように、支持軸部３６では、連結部３３１に隣接して大径部３３２が設けられている。大径部３３２とブラケット４８のボス部４８４との間で、軸受部３１の軸線Ｘ方向の位置決めがなされている。
【００４３】
大径部３３２を挟んで連結部３３１の反対側には、シャフト連結部３３３が設けられている。シャフト連結部３３３は、大径部３３２よりも小さい外径で形成されている。シャフト連結部３３３には、円筒形状のシャフト３４の一端３４ａ側が外挿されている。
シャフト３４のシャフト連結部３３３に外挿されている部分は、当該シャフト連結部３３３にかしめられている。これにより、シャフト３４とシャフト連結部３３３（連結部材３３）とが、相対回転不能に連結されている。
【００４４】
シャフト３４の他端３４ｂには、連結部材３５が軸線Ｘ方向から連結されている。
具体的には、連結部材３５は、軸線Ｘ方向から見てリング状の係合溝３５３を有している。この係合溝３５３に、シャフト３４の他端３４ｂが軸線Ｘ方向から嵌入している。これにより、シャフト３４と連結部材３５は、相対回転不能に連結されている。
【００４５】
連結部材３５は、円筒部材３０の内周とシャフト３４の外周との間に配置される基部３５１を有している。基部３５１のコイルスプリングＳｐ側には、シャフト３４の外周を所定間隔で囲む周壁部３５２が、基部３５１から延出している。
この周壁部３５２の内周側では、長手方向におけるコイルスプリングＳｐの他端側に設けた係合部Ｓｐｂが、軸線Ｘの径方向にシャフト３４を貫通して、当該シャフト３４に係合している。
これにより、係合部Ｓｐｂのシャフト３４からの脱落が、係合部Ｓｐｂの外径側を覆う周壁部３５２により阻止される。
【００４６】
シャフト３４に外挿されたコイルスプリングＳｐは、係合部Ｓｐａが、円筒部材３０と一体に回転する軸受部３１に係止され、係合部Ｓｐｂが、シャフト３４に係止される。
【００４７】
実施の形態では、連結部材３３とシャフト３４と連結部材３５とが相対回転不能に連結されて支持軸部３６を構成している。この支持軸部３６は、軸線Ｘ回りの回転が規制された状態でブラケット４８に固定されている。
そのため、カーテン３が引き出されて、円筒部材３０に連結された軸受部３１とブラケット４８に固定された支持軸部３６とが軸線Ｘ回りに相対回転すると、コイルスプリングＳｐが巻き締められて、当該コイルスプリングＳｐに付勢力が発生する。この付勢力は、カーテン３を巻き取る方向に円筒部材３０を回転させようとする力である。
【００４８】
よって、引き出されたカーテン３の係止具３９を、ショーケース２のフック部２９（図１参照）から外すと、巻き締められたコイルスプリングＳｐから作用する付勢力により円筒部材３０が回転する。円筒部材３０の回転と共に、カーテン３の先端部３ａが上方に移動しながらカーテン３が巻き上げられて、カーテン３は収容部４内に回収される。
【００４９】
［ロータリーダンパー６］
図５の（ａ）に示すように、円筒部材３０の他端部３０ｂには、ロータリーダンパー６が取り付けられている。ロータリーダンパー６は有底筒状のカバー部６１と、当該カバー部６１に挿入された軸状部材６２と、を有している。
円筒部材３０の中心線と、ロータリーダンパー６のカバー部６１および軸状部材６２の中心線とは、軸線Ｘ上で同軸に配置されている。
【００５０】
［カバー部６１］
カバー部６１は、筒状の周壁部６１０と、周壁部６１０の一端を封止する底壁部６１３を有している。
周壁部６１０は、円筒部材３０と略同じ外径の大径部６１１と、円筒部材３０と略同じ内径の小径部６１２とを有しており、大径部６１１と小径部６１２は、軸線Ｘ上で同心に配置されていると共に、軸線Ｘ方向に並んでいる。
【００５１】
円筒部材３０は、当該円筒部材３０の他端部３０ｂが、大径部６１１に当接する位置まで、小径部６１２側からカバー部６１に外挿されており、ロータリーダンパー６の円筒部材３０に対する位置決めが、大径部６１１により行われている。
【００５２】
この状態において円筒部材３０の他端部３０ｂは，小径部６１２の外周側にかしめられており、円筒部材３０は、カバー部６１に相対回転不能に連結されている。
【００５３】
［軸状部材６２］
軸状部材６２は、円柱形状の軸部６２０と、円柱形状のシールリング保持部６２１と、フランジ部６２３を有している。フランジ部６２３は、軸部６２０とシールリング保持部６２１との間に位置しており、軸部６２０とシールリング保持部６２１とフランジ部６２３は、同一の樹脂材料で一体に形成されている。
【００５４】
軸状部材６２は、軸線Ｘ方向からカバー部６１の周壁部６１０内に挿入されている。軸状部材６２の先端部６２ａは、カバー部６１の底壁部６１３に設けた凹部６１３ａで回転可能に支持されている。
軸状部材６２では、先端部６２ａから基端部６２ｂ側にオフセットした位置に、周壁部６１０の内径と整合する外径でフランジ部６２３が形成されている。
【００５５】
シールリング保持部６２１における大径部６１１に対向する部位には、軸線Ｘ方向に間隔を開けてふたつのシールリングＳが設けられており、シールリングＳは、周壁部６１０の内周に圧接している。
【００５６】
軸状部材６２の基端部６２ｂは、周壁部６１０の他端６１０ｂから外方に突出しており、基端部６２ｂは、ブラケット４８の嵌合孔４８ａに嵌め込まれた支持部材６３に係合している。
軸状部材６２の基端部６２ｂは、支持部材６３との相対回転が規制された状態で、支持部材６３に支持されている。
【００５７】
図４の（ｃ）に示すように、軸線Ｘ方向から見て支持部材６３は、略矩形形状を成しており、支持部材６３は、ブラケット４８に形成された矩形形状の嵌合孔４８ａに嵌合している。
この状態において、支持部材６３は、軸線Ｘ回りの回り止めがなされた状態で、ブラケット４８のボス部４８４で支持されている。
【００５８】
図５の（ａ）に示すように、軸状部材６２の軸部６２０では、フランジ部６２３から軸状部材６２の先端部６２ａの近傍までの範囲に仕切壁部６２４が設けられている。
図５の（ｂ）に示すように、仕切壁部６２４は、軸部６２０の軸線Ｘ周りの周方向に９０°間隔で４ヶ所設けられている。軸線Ｘ方向からみて軸状部材６２の直径線Ｌｍ上に位置する２つの仕切壁部６２４、６２４の外径はカバー部６１の内径より僅かに小径である。
仕切壁部６２４には、当該仕切壁部６２４を厚み方向に貫通する貫通孔（図示せず）が形成されている。この貫通孔には逆止弁（図示せず）が設けられている。
【００５９】
ロータリーダンパー６は、軸線Ｘ方向におけるフランジ部６２３と底壁部６１３との間の空間及び、軸線Ｘの径方向におけるカバー部６１と軸部６２０との間の空間に流体（シリコンオイルＯＬ）が封入されている。なお、この流体はシリコンオイルでなくても良い。
【００６０】
これにより、軸線Ｘ回りの一方の回転方向では、仕切壁部６２４の貫通孔は逆止弁で封止される。そうすると、シリコンオイルＯＬによる粘性抵抗が仕切壁部６２４の全面に亘って作用する。よって、ロータリーダンパー６の回転は減衰される。
軸線Ｘ回りの他方の回転方向では、仕切壁部６２４の貫通孔は逆止弁で封止されない。そうすると、シリコンオイルＯＬが貫通孔を通流することによって、当該シリコンオイルＯＬによる粘性抵抗は低減される。よって、ロータリーダンパー６の回転は減衰されない。
【００６１】
ショーケース用カバー装置１におけるロータリーダンパー６は、軸線Ｘ回りにおけるカーテン３が巻上げられる方向にカバー部６１が回転する際に、当該カバー部６１の回転を減衰するように取り付けられている。これにより、カバー部６１と相対回転不能に連結された円筒部材３０も、軸線Ｘ回りにおけるカーテン３が巻上げられる方向の回転が減衰される。
【００６２】
以下、実施形態にかかるショーケース用カバー装置１の動作を説明する。
スーパーマーケットの閉店後に、ショーケース２の開口部２０を、カーテン３で覆う場合には、カーテン３の係止具３９を摘んで引き下げて、カーテン３を引き出す。
そして、係止具３９をショーケース２の開口部２０の下部に設けられたフック部２９に係止することで、カーテン３が開口部２０を覆った状態で保持される。
【００６３】
この場合、軸線Ｘ回りにおけるカーテン３を引き出す方向への円筒部材３０の回転は、ロータリーダンパー６によって減衰されない。よって、スムーズにカーテン３を引き出して、ショーケース２の開口部２０を覆うことができる。
【００６４】
例えばスーパーマーケットの開店前に、ショーケース２の開口部２０を覆っているカーテン３を開ける場合には、カーテン３の係止具３９をショーケース２のフック部２９から外す。そうすると、巻き取り機構５によって、カーテン３が開口部２０の上方へ巻き上げられる。
この場合、軸線Ｘ回りにおけるカーテン３を巻き上げる方向への円筒部材３０の回転は、ロータリーダンパー６によって減衰される。よって、すぐに手を離しても、カーテン３はゆっくり巻き上げられる。
【００６５】
ここで、本願のロータリーダンパー６は、シリコンオイルによる粘性抵抗を利用している。従来例の減衰機構ように摺動抵抗を利用したものではないので、摺動による摩耗は発生せず、ロータリーダンパー６による回転の減衰量は安定する。
【００６６】
以上の通り、本実施形態にかかるショーケース用カバー装置１は以下の構成を有している。
（１）ショーケース用カバー装置１は、中心軸方向（軸線Ｘ方向）の両端がブラケット４８、４８で支持された円筒部材３０（筒状の回転シャフト）と、円筒部材３０が外挿された支持軸部３６（固定軸）と、円筒部材３０と支持軸部３６とを接続するコイルスプリングＳｐ（巻取ばね）と、カーテン３（カバー部材）と、を有している。
ショーケース用カバー装置１では、円筒部材３０に巻回されたカーテン３を引き出す際に、円筒部材３０と支持軸部３６とが軸線Ｘ回りに相対的に回転して、コイルスプリングＳｐに付勢力が蓄積される。
コイルスプリングＳｐに蓄積された付勢力が、カーテン３を巻き上げる方向に円筒部材３０を回転させる駆動力を生じる。
円筒部材３０は、軸線Ｘ方向における一端部３０ａが、支持軸部３６を介してブラケット４８に相対回転可能に支持されている。
円筒部材３０は、軸線Ｘ方向における他端部３０ｂが、ロータリーダンパー６（回転ダンパー）を介してブラケット４８に相対回転可能に支持されている。
ロータリーダンパー６は、カーテン３を巻き上げる方向への円筒部材３０の回転に負荷を作用させる。
【００６７】
このように構成すると、カーテン３を引き出す方向への円筒部材３０の回転に負荷を作用させずに、カーテン３を巻き上げる方向への円筒部材３０の回転にのみ負荷をさせることができる。
これにより、カーテン３を円筒部材３０に巻き取る際に、カーテン３が勢い良く巻き上げられることを好適に防止できる。
よって、カーテン３が勢い良く巻き上げられて、カーテン３の先端部３ａ等が、ショーケースの蛍光灯などに衝突して蛍光灯を破損させることを防止できる。
【００６８】
ショーケース用カバー装置１は以下の構成を有している。
（２）ロータリーダンパー６は、
筒状の周壁部６１０の内側に底壁部６１３が設けられた有底のカバー部６１と、
軸線Ｘ方向からカバー部６１内に挿入されると共に、先端部６２ａが、底壁部６１３の凹部６１３ａで回転可能に支持された軸状部材６２（軸部）と、
軸状部材６２において、先端部６２ａから基端部６２ｂ側にオフセットした位置に、カバー部６１の内径と整合する外径で形成されたフランジ部６２３と、を有している。
ロータリーダンパー６では、フランジ部６２３と底壁部６１３との間の空間にシリコンオイル（流体）が封入されている。
軸状部材６２では、フランジ部６２３よりも先端部６２ａ側の軸部６２０に、軸線Ｘの径方向に延びる仕切壁部６２４が設けられている。
ロータリーダンパー６は、軸状部材６２の基端部６２ｂがブラケット４８に連結されていると共に、カバー部６１が円筒部材３０に連結されている。
仕切壁部６２４により、円筒部材３０がカーテン３を巻き上げる方向に回転する際の負荷（減衰力）を生じさせる。
【００６９】
このように構成すると、円筒部材３０が、コイルスプリングＳｐに蓄積された付勢力による駆動力で、カーテン３を巻き上げる方向に回転する際に、仕切壁部６２４がシリコンオイルＯＬ内を移動する際に生じる減衰力が、円筒部材３０の回転に対する負荷となる。
これにより、カーテン３を円筒部材３０に巻き取る際に、カーテン３が勢い良く巻き上げられることを好適に防止できる。
また、ロータリーダンパー６において、仕切壁部６２４がシリコンオイルＯＬ内を移動する際に生じる減衰力が、円筒部材３０のカーテン３を引き出す方向への回転に対して作用しないようにすることで、スムーズにカーテン３を引き出して、ショーケース２の開口部２０を覆うことができる。
【００７０】
また、カーテン３を開ける場合には、ロータリーダンパー６の流体の粘性抵抗によって円筒部材３０の回転が減衰される。よって、従来例のように摺動による摩耗は発生せず、カーテン３を安定して低速で巻き上げることが出来る。
【００７１】
ショーケース用カバー装置１は以下の構成を有している。
（３）ロータリーダンパー６に用いられる流体は、シリコンオイルＯＬである構成とした。
【００７２】
このように構成すると、シリコンオイルＯＬは温度変化に伴う粘度の変化が少ないので、安定して円筒部材３０の回転を減衰させることが出来る。
なお、ロータリーダンパー６に用いられる流体は、必ずしもシリコンオイルである必要はなく、高い粘性を持つ他の流体も適宜利用可能である。
【００７３】
（４）カーテン３は、樹脂製のフイルム材、または織物である構成とした。
【００７４】
このように構成すると、可撓性と弾性と耐湿性とを備えたカーテン３とすることができる。
特に、カーテン３が、樹脂繊維からなる織物（布）である場合には、ショーケース２の開口部２０を覆うカーテン３に結露が生じても、生じた結露がカーテン３に吸収される。よって、ショーケース２の周辺が濡れてしまうことを防止できる。
【符号の説明】
【００７５】
１      ショーケース用カバー装置
２      ショーケース
２０    開口部
２１    天板部
２１ａ  取付面
２２    フロントパネル
２９    フック部
３      カーテン
３０    円筒部材
３１    軸受部
３１０  基部
３１１  大径部
３２    ライナ
３３    連結部材
３３１  連結部
３３２  大径部
３３３  シャフト連結部
３４    シャフト
３５    連結部材
３５１  基部
３５２  周壁部
３５３  係合溝
３６    支持軸部
３９    係止具
４      収容部
４５    壁部
４６    上壁部
４７    突出部
４８    ブラケット
４８１  下端部
４８２  上端部
４８３  中央部
４８４  ボス部
４９    ビス
５      巻取り機構
６      ロータリーダンパー
６１    カバー部
６１０  周壁部
６１１  大径部
６１２  小径部
６１３  底壁部
６１３ａ  凹部
６２    軸状部材
６２ａ  先端部
６２ｂ  基端部
６２０  軸部
６２１  シールリング保持部
６２３  フランジ部
６２４  仕切壁部
６３    支持部材
Ｂ      ボルト
ＯＬ    シリコンオイル
Ｓ      シールリング
Ｓｐ    コイルスプリング
Ｘ      軸線
【図１】
0003215137.tif 000003
【図２】
0003215137.tif 000004
【図３】
0003215137.tif 000005
【図４】
0003215137.tif 000006
【図５】
0003215137.tif 000007